(57)【要約】【課題】  障子が室外側に回動して開くオペレーター装置付きの窓に網戸を容易に付設できるようにすること。  【解決手段】  サッシ枠１と、水平軸１３により室外側に回動する障子２、障子の開閉操作を行うオペレーター装置３と、サッシ枠の室内側に取付ける網戸枠５と、網戸４とを備え、オペレーター装置は、操作ワイヤー９，１０と、サッシ枠の室内側に取付けたサッシ枠側滑車２８，３０と、網戸枠の室内側に取付けた網戸枠側滑車１２とを有し、網戸枠を形成する上下左右枠のうちの少なくとも左右の網戸竪枠８，８は、サッシ枠側滑車よりも室内側において内周側に突出して網戸と係合する突出片８ａを有し、左右の突出片はそれぞれオペレーター装置の操作ワイヤーを挿通する長孔１１を有し、操作ワイヤー９，１０は、サッシ枠側滑車２８，３０に掛けて網戸４側に向けてあり、突出片８ａの長孔１１を挿通して網戸枠５の室内側に引き出してあり、網戸枠側滑車１２に掛けて下方に向けてある。【選択図】      図１
2008133625.tif 000002
【特許請求の範囲】
【請求項１】
サッシ枠と、水平軸により室外側に回動する障子と、障子の開閉操作を行うオペレーター装置と、サッシ枠の室内側に取付ける網戸枠と、網戸とを備え、オペレーター装置は、操作ワイヤーと、サッシ枠の室内側に取付けたサッシ枠側滑車と、網戸枠の室内側に取付けた網戸枠側滑車とを有し、網戸枠を形成する上下左右枠のうちの少なくとも左右の網戸竪枠は、サッシ枠側滑車よりも室内側において内周側に突出して網戸と係合する突出片を有し、左右の突出片はそれぞれオペレーター装置の操作ワイヤーを挿通する長孔を有し、操作ワイヤーは、サッシ枠側滑車に掛けて網戸側に向けてあり、突出片の長孔を挿通して網戸枠の室内側に引き出してあり、網戸枠側滑車に掛けて下方に向けてあることを特徴とする窓。
【発明の詳細な説明】
【技術分野】
【０００１】
本発明は、障子が水平軸で室外側に回動して開き、且つ網戸を取付けた窓に関する。
【背景技術】
【０００２】
壁面や窓の上方に設けられる排煙窓は、障子を開閉操作するためのオペレーター装置が障子の室内側に露出して設けてある（例えば特許文献１参照。）。図１１は、排煙外倒し窓の従来例を示しており、この外倒し窓は、サッシ枠９０に障子９１が下端部を支点として室外側に回動自在に取付けてあり、サッシ枠の竪枠９２と障子の竪框９３の間に設けたダンパー９４の付勢力により障子９１が開放する。障子９１の閉鎖は、一端を障子上框９５に接続すると共に、中間部を上枠に取付けた滑車９６に掛けて室内側に垂らした閉操作ワイヤー９７を引っ張ることで行われる。またサッシ枠の上枠にはラッチ機構９８が、障子の上框にはラッチ受け９９がそれぞれ取付けてあり、障子９１が完全に閉まるとラッチ機構９８のラッチ爪がラッチ受け９９に係止して、障子９１が自動的に施錠される。ラッチ機構９８には、開操作ワイヤー１００の一端が接続されており、開操作ワイヤー１００を引っ張るとラッチが解除されて障子９１がダンパー９４の付勢力により開放する。図示のものは、閉操作ワイヤー９７と開操作ワイヤー１００が各窓の左右の竪枠側に振り分けて配置してあるが、両方のワイヤーを一方の竪枠側にまとめて配置される場合もある。  
【特許文献１】実登３０１６０６９号公報
【発明の開示】
【発明が解決しようとする課題】
【０００３】
近年、排煙窓にも網戸を付設したいとの要望が強くなってきている。上記のような排煙窓では、障子が室外側に開くため、網戸は室内側に取付けなければならないが、障子の室内側にはダンパーとオペレーター装置が取付いているので、網戸の付設が容易に行えない。本発明は以上に述べた実情に鑑み、障子が室外側に回動して開くオペレーター装置付きの窓に網戸を容易に付設できるようにすることを目的とする。
【課題を解決するための手段】
【０００４】
上記の課題を達成するために請求項１記載の窓は、サッシ枠と、水平軸により室外側に回動する障子と、障子の開閉操作を行うオペレーター装置と、サッシ枠の室内側に取付ける網戸枠と、網戸とを備え、オペレーター装置は、操作ワイヤーと、サッシ枠の室内側に取付けたサッシ枠側滑車と、網戸枠の室内側に取付けた網戸枠側滑車とを有し、網戸枠を形成する上下左右枠のうちの少なくとも左右の網戸竪枠は、サッシ枠側滑車よりも室内側において内周側に突出して網戸と係合する突出片を有し、左右の突出片はそれぞれオペレーター装置の操作ワイヤーを挿通する長孔を有し、操作ワイヤーは、サッシ枠側滑車に掛けて網戸側に向けてあり、突出片の長孔を挿通して網戸枠の室内側に引き出してあり、網戸枠側滑車に掛けて下方に向けてあることを特徴とする。
【発明の効果】
【０００５】
請求項１記載の発明による窓は、サッシ枠の室内側に網戸枠を取付けてあり、網戸枠を形成する上下左右枠のうちの少なくとも左右の網戸竪枠は、サッシ枠の室内側に取付けたサッシ枠側滑車よりも室内側において内周側に突出して網戸と係合する突出片を有し、左右の突出片にオペレーター装置の操作ワイヤーを挿通する長孔を設けてあり、操作ワイヤーは、サッシ枠側滑車に掛けて網戸側に向け、突出片の長孔を挿通して網戸枠の室内側に引き出し、網戸枠の室内側に取付けた網戸枠側滑車に掛けて下方に向けるようにしたので、障子が室外側に回動して開くオペレーター装置付きの窓に網戸を容易に付設できる。さらに、網戸枠の左右の突出片に操作ワイヤーを挿通する長孔それぞれを有しているので、操作ワイヤーの配設が容易に行えると共に、共通の網戸枠で、閉操作ワイヤーと開操作ワイヤーを左右の突出片の長孔にそれぞれ挿通して両ワイヤーを左右の竪枠側に振り分けて配設する場合と、両ワイヤーを左右何れか一方の突出片の長孔に挿通して一方の竪枠側にまとめて配設する場合の何れにも対応できる。
【発明を実施するための最良の形態】
【０００６】
以下、本発明の実施の形態を図面に基づいて説明する。図３は、嵌め殺し窓１５の上方に、排煙や換気のために設けられる２連窓型の外倒し窓の室内側正面図であり、図１はこの外倒し窓の横断面図、図２は図３のＡ−Ａ線における縦断面図である。この外倒し窓は、主要な構成として、躯体開口部に取付けたサッシ枠１と、サッシ枠１の内側に外倒し式に開閉自在に取付けた障子２と、サッシ枠１の内周に室内側に突出して取付けた網戸枠５と、網戸枠５の室内側内周に取付けた網戸４とを備えている。以下、左右２つの窓のうち、室内側から見て左側の窓について説明する。右側の窓は、左側の窓と左右対称である。
【０００７】
サッシ１枠は、図１と図２に示すように、上枠１６と、下枠１７と、左右の竪枠１８，１８とを方形に枠組みして構成されている。上枠１６と下枠１７と左右の竪枠１８は、室内側の内周部に樹脂製のアングル１６ａ，１７ａ，１８ａがそれぞれ取付けてある。
障子２は、上框１９と、下框２０と、左右の竪框２１，２１とを方形に枠組みし、各框の内周側に形成した溝に、ガラスパネル２２の周縁部をグレージングチャンネルを介して嵌合保持させたものとなっている。障子２は、図２に示すように、下框２０の下面を下枠１７の上面にヒンジ２３で連結してあり、ヒンジ２３の水平軸１３を支点として室外側に回動する。左右の竪框２１，２１と左右の竪枠１８，１８との間には、ガスステーダンパー２４，２４がダンパーブラケット２５ａ，２５ｂを介してそれぞれ架設してある。ガスステーダンパー２４は、内部に圧縮ガスとバネを内蔵しており、障子２を室外側に向けて常に付勢すると共に、障子２が開く際の衝撃を吸収する。
【０００８】
図４と図５は、障子２を開閉操作するために障子２の室内側に設けられるオペレーター装置３を示している。図４と図５に示すように、上枠１６の長手方向中央部にはラッチ機構２６が室内側に露出して取付けてあり、上框１９にはラッチ機構２６のラッチ爪２６ａが係止するラッチ受け２７が室内側に突出して設けてあり、障子２が閉鎖したときには、ラッチ受け２７がラッチ爪２６ａに係止して自動的に施錠される。ラッチ機構２６には、開操作ワイヤー９の一端が接続してあり、開操作ワイヤー９を引っ張ることでラッチ爪２６ａが引っ込んでラッチ受け２７との係合が解除され、障子２がガスステーダンパー２４の付勢力により開放する。また、上框１９には閉操作ワイヤー１０の一端が接続してあり、閉操作ワイヤー１０を引っ張ることで障子２を閉鎖できる。
開操作ワイヤー９は、図１と図５に示すように、右側の竪枠１８の室内側上部に取付けたサッシ枠側滑車２８に掛けて網戸４側に向けてある。閉操作ワイヤー１０は、ラッチ機構２６の下面に取付けた滑車２９と、左側の竪枠１８の室内側上部に取付けたサッシ枠側滑車３０に掛けて網戸４側に向けてある。
【０００９】
網戸枠５は、図１と図２に示すように、網戸上枠６と、網戸下枠７と、左右の網戸竪枠８，８とを枠組みして、長方形の筒状に形成してあり、室外側端部をサッシ枠１内周に嵌め込み、内周側から螺入したネジ３１でアングル１６ａ，１７ａ，１８ａと共締めして、額縁４５ａ，４５ｂと方立カバー４６と無目カバー４７とに取付けてある。網戸枠５は、サッシ枠１の室内側に露出して取付けられた滑車２８，２９，３０、及びラッチ機構２６よりも室内側まで突出している。網戸上枠６と網戸下枠７と左右の網戸竪枠８，８は、室内側端部に内周側に突出する突出片６ａ，７ａ，８ａをそれぞれ有しており、突出片６ａ，７ａ，８ａに係合させて網戸４を取付けている。
網戸４は、上框３２と、下框３３と、左右の竪框３４，３４とを方形に枠組みし、枠の内側に網３５を張設して形成してある。網戸４の下框３３は、図２に示すように、室外側見付面に下方に垂下して設けた係合片３３ａが網戸下枠７の突出片７ａの室外側に係合しており、上框３２は図２と図３に示すように、長手方向両端部に上下動自在な係合金具３６を設けてあり、上框３２室外側面と係合金具３６の係合爪３６ａとで網戸上枠６の突出片６ａを挟持している。網戸４の竪框３４は、図１に示すように、網戸竪枠８の突出片８ａの室内側にラップしている。網戸４を網戸枠５から外すには、係合金具３６を下方に押し下げた後、下部側を支点として室内側に倒せば、室内側に簡単に外すことができる。
【００１０】
左右の網戸竪枠８の突出片８ａには、開操作ワイヤー９と閉操作ワイヤー１０をそれぞれ室内側に引き出すために、図７に示すように、上下方向に長い略長方形の長孔１１が形成してあり、この長孔１１の内側に嵌め込むようにしてゴム製のカバー３７が取付けてある。カバー３７は、長孔１１への取付部３７ａを周囲に設け、その内側に薄肉部３７ｂを設けてあり、薄肉部３７ｂに上下方向のスリット３７ｃが０．３ミリの開口幅で形成してある。
また、左右の網戸竪枠８の見込み壁８ｂの長孔１１の側方位置には、網戸枠側滑車１２を取付けるための取付孔３８が、上下方向に並べて４つ形成してある。４つの取付孔３８のうち上側の２つの取付孔３８を利用して網戸枠側滑車１２の取付板３９をネジ４０で取り付け、取付板３９に網戸枠側滑車１２をネジ４１で取付けている。網戸枠側滑車１２は、ローラー１２ａを回転自在に保持したローラーホルダー１２ｂが、ベース金具１２ｃに室内外方向の軸１２ｄで回動自在に軸支された構造となっており、取付状態では図６（ａ）に示すように、ローラー１２ａがスリット３７ｃの室内側に位置する。このように、取付孔３８を網戸竪枠８の見込み壁８ｂに設けることで、突出片８ａの見付寸法を小さく抑え、採光や排煙面積を広く確保することができる。なお網戸枠側滑車１２は、サッシ枠１の竪枠１８に取付けられるサッシ枠側滑車２８，３０と同一のものを使用している。下側の２つの取付孔３８は、この実施形態では使用しないため、カバー板４２をネジ４３で取付けて塞いである。
【００１１】
閉操作ワイヤー１０は、図６（ａ），（ｂ）に示すように、左側の網戸竪枠１８の長孔１１に取付けたカバー３７のスリット３７ｃに挿通した上で、網戸枠側滑車１２に掛けて下方に垂らしてある。開操作ワイヤー９も、同じように右側の網戸竪枠１８の長孔１１に取付けたカバー３７のスリット３７ｃに挿通した上で、網戸枠側滑車１２に掛けて下方に垂らしてある。各ワイヤー９，１０の先端には、引手４４を設けてある。長孔１１にゴム製のスリット付きカバー３７が取付けてあることで、ワイヤー９，１０を挿通するための長孔１１から虫が侵入することがなく、ワイヤー９，１０が長孔１１とこすれて傷付けられることもない。
【００１２】
この外倒し窓は、図８に示すように、各窓の開操作ワイヤー９と閉操作ワイヤー１０を、左側の窓の左側の網戸竪枠８側と、右側の窓の右側の網戸竪枠８側とにまとめて配置することもできる。この場合は、図９に示すように、サッシ枠１の一方の竪枠１８の上部に開操作ワイヤー９用のサッシ枠側滑車２８と閉操作ワイヤー１０用のサッシ枠側滑車３０を並べて設置すると共に、図１０（ａ），（ｂ）に示すように、網戸枠５の一方の網戸竪枠８に、見込み壁８ｂに設けた４つの取付孔３８を全て利用して、開操作ワイヤー９用の網戸枠側滑車１２と閉操作ワイヤー１０用の網戸枠側滑車１２を上下に並べて取付け、両ワイヤー９，１０をスリット３７ｃに挿通してから上下の網戸枠側滑車１２，１２にそれぞれ掛けて下方に垂らす。このように、網戸竪枠８の突出片８ａにワイヤー９，１０を挿通するスリット３７ｃを上下方向に設けると共に、スリット３７ｃの側方位置の網戸竪枠見込み壁８ｂに滑車取付け用の取付孔３８が上下に二組設けてあることで、共通の網戸枠５を使用して、開操作ワイヤー９と閉操作ワイヤー１０とを左右に振り分けて配置する場合と、一方にまとめて配置する場合の何れにも対応できる。
【００１３】
網戸４の付いていない窓に網戸４を後から付設する場合には、サッシ枠１のアングル１６ａ，１７ａ，１８ａを額縁４５ａ，４５ｂと方立カバー４６と無目カバー４７に止めているネジ３１を一旦外した上で、網戸枠５を室内側からサッシ枠１内周に嵌め込み、網戸枠５とアングル１６ａ，１７ａ，１８ａとをネジ３１で共締めすることで、簡易に網戸枠５を取付けることができる。
【００１４】
本発明は、以上に述べた実施形態に限定されない。オペレーター装置の構造は、適宜変更することができ、例えば連窓の場合に複数の障子の開操作を１本の開操作ワイヤーで行うようにすることもできる。操作ワイヤーの材質は任意であり、例えばナイロン製の紐を用いることもできる。網戸竪枠の長孔に取付けるカバーは、樹脂製のものであってもよいし、カバーを取付けずに長孔に直接操作ワイヤーを挿通することもできる。長孔の形状は、適宜変更することができる。網戸枠の室内側に取付ける網戸枠側滑車は、ローラーホルダーが固定式のもの（ローラーホルダー１２ｂが軸１２ｄを支点に回動しないもの）であっても良い。網戸枠の突出片に網戸を係合取付する構造は任意であり、例えば網戸を網戸枠の突出片に対して、上下方向や左右方向のけんどん式で着脱自在に取付けるものであってもよい。本発明の窓は、外倒し窓に限らず、突き出し窓にも適用することができ、また、連窓に限らず単窓でも実施できる。  
【図面の簡単な説明】
【００１５】
【図１】本発明を２連窓型の外倒し窓に適用した場合の横断面図である。
【図２】図３のＡ−Ａ断面図である。
【図３】本発明を２連窓型の外倒し窓に適用した場合の室内側正面図である。
【図４】図３のＢ−Ｂ断面図である。
【図５】オペレーター装置の室内側正面図である。
【図６】（ａ）は図３のＣ部を拡大して示す正面図であり、（ｂ）はそのＸ矢視図である。
【図７】図３のＣ部の分解斜視図である。
【図８】本発明を２連窓型の外倒し窓に適用した場合の室内側正面図であって、開操作ワイヤーと閉操作ワイヤーを一方の竪枠側にまとめて配置した状態を示している。
【図９】同外倒し窓のオペレーター装置の室内側正面図である。
【図１０】（ａ）は図８のＤ部を拡大して示す正面図であり、（ｂ）はそのＸ矢視図である。
【図１１】２連窓型の外倒し窓の従来例を示す斜視図である。
【符号の説明】
【００１６】
１  サッシ枠
２  障子
３  オペレーター装置
４  網戸
５  網戸枠
６  網戸上枠
７  網戸下枠
８  網戸竪枠
８ａ  左右の突出片
９  開操作ワイヤー（操作ワイヤー）
１０  閉操作ワイヤー（操作ワイヤー）
１１  長孔
１２  網戸枠側滑車
１３  水平軸
２８，３０  サッシ枠側滑車
【図１】
2008133625.tif 000003
【図２】
2008133625.tif 000004
【図３】
2008133625.tif 000005
【図４】
2008133625.tif 000006
【図５】
2008133625.tif 000007
【図６】
2008133625.tif 000008
【図７】
2008133625.tif 000009
【図８】
2008133625.tif 000010
【図９】
2008133625.tif 000011
【図１０】
2008133625.tif 000012
【図１１】
2008133625.tif 000013